(57)【要約】【課題】視聴者が視聴したい任意視点の予約を可能とし、視点制限エリアの変更によって予約視点で視聴できるようになった場合に自動で予約された視点で視聴できるようにして、ユーザの利便性を向上させる。【解決手段】放送受信装置は、ユーザが視聴を希望する視点設定を受け付け、当該視点に基づく番組の視聴が可能か否かを判定し、可能でない場合には当該視点による視聴の予約を受け付ける。予約を受け付けた後、当該視点による視聴が可能となったか否かを判定し、可能となった場合には、ユーザが希望する視点の映像に切り替えて表示を行う。【選択図】  図１
2012119916.tif 000002
【特許請求の範囲】
【請求項１】
デジタル放送を受信する放送受信装置であって、
放送番組のＲＦ信号を受信する受信手段と、
受信した前記ＲＦ信号から、前記放送番組の映像信号と、視聴者が前記放送番組を視聴可能な視点の範囲を規定する視点設定範囲制御情報とを分離する分離手段と、
前記放送受信装置のユーザから、前記放送番組を視聴する視点の設定を受け付けて、設定された視点を保存するユーザ視点保存手段と、
前記ユーザが設定した視点に基づく前記放送番組の視聴が可能か否かを、前記視点設定範囲制御情報に基づいて判定する判定手段と、
前記判定手段が、前記視聴が可能であると判定した場合に、前記ユーザが設定した視点に基づく視点映像を前記映像信号から生成する映像生成手段と、
生成された前記視点映像を表示する表示手段と、
前記判定手段が、前記視聴が可能でないと判定した場合に、前記ユーザが設定した視点に基づく視点映像の視聴の予約を受け付けて、当該予約の情報を保存する視点予約保存手段と、
を備え、
前記判定手段は、
前記視聴が可能でないと判定した後、前記分離手段が分離した視点設定範囲制御情報における前記視聴可能な視点の範囲に変化があったか否かをさらに判定し、
当該変化があった場合、変化後の範囲に基づき前記ユーザが設定した視点に基づく前記放送番組の視聴が可能か否かを再び判定し、
前記映像生成手段は、前記判定手段が、再度の判定において視聴が可能であると判定した場合に、前記ユーザが設定した視点に基づく視点映像を前記映像信号から生成する
ことを特徴とする放送受信装置。
【請求項２】
前記映像生成手段は、前記判定手段が再度の判定において視聴が可能であると判定するまでの間、予め設定された視点に基づく視点映像を前記映像信号から生成し、
前記表示手段は、当該予め設定された視点に基づく視点映像を表示する
ことを特徴とする請求項１に記載の放送受信装置。
【請求項３】
前記視点予約保存手段は、前記ユーザが設定した視点に基づく視点映像の視聴の予約を、当該予約の開始時刻及び終了時刻と共に受け付けて、前記予約の情報として保存し、
前記判定手段は、前記視聴可能な視点の範囲に変化があったか否かの判定、及び、前記変化後の範囲に基づき視聴が可能か否かの判定を、現在時刻が前記開始時刻から前記終了時刻に属する間において実行する
ことを特徴とする請求項１または２に記載の放送受信装置。
【請求項４】
前記判定手段は、
前記視聴が可能でないと判定した後、前記ユーザが前記ユーザ視点保存手段が保存する視点とは異なる視点での視聴を希望するか否かを判定し、
該異なる視点での視聴を前記ユーザが希望する場合、当該異なる視点での視聴が可能か否かを前記視点設定範囲制御情報に基づいて判定し、
前記異なる視点での視聴が可能な場合に、前記映像生成手段が該異なる視点に基づく視点映像を前記映像信号から生成し、
前記判定手段は、前記異なる視点に基づく視点映像を前記表示手段が表示している間に、前記視点設定範囲制御情報における前記視聴可能な視点の範囲に変化を判定する
ことを特徴とする請求項１に記載の放送受信装置。
【請求項５】
前記映像信号には、複数のカメラで撮影された視点の異なる複数の映像が含まれ、
前記映像生成手段は、前記複数の映像を用いて、前記ユーザが設定した視点に基づく視点映像を生成することを特徴とする請求項１乃至４のいずれか１項に記載の放送受信装置。
【請求項６】
デジタル放送を受信する放送受信装置の制御方法であって、
受信手段が、放送番組のＲＦ信号を受信する受信工程と、
分離手段が、受信した前記ＲＦ信号から、前記放送番組の映像信号と、視聴者が前記放送番組を視聴可能な視点の範囲を規定する視点設定範囲制御情報とを分離する分離工程と、
ユーザ視点保存手段が、前記放送受信装置のユーザから、前記放送番組を視聴する視点の設定を受け付けて、設定された視点を保存するユーザ視点保存工程と、
判定手段が、前記ユーザが設定した視点に基づく前記放送番組の視聴が可能か否かを、前記視点設定範囲制御情報に基づいて判定する判定工程と、
映像生成手段が、前記判定工程において前記視聴が可能であると判定された場合に、前記ユーザが設定した視点に基づく視点映像を前記映像信号から生成する映像生成工程と、
表示手段が、生成された前記視点映像を表示する表示工程と、
視点予約保存手段が、前記判定工程において前記視聴が可能でないと判定された場合に、前記ユーザが設定した視点に基づく視点映像の視聴の予約を受け付けて、当該予約の情報を保存する視点予約保存工程と、
を備え、
前記判定工程では、前記判定手段が更に、
前記視聴が可能でないと判定した後、前記分離工程で分離された視点設定範囲制御情報における前記視聴可能な視点の範囲に変化があったか否かをさらに判定し、
当該変化があった場合、変化後の範囲に基づき前記ユーザが設定した視点に基づく前記放送番組の視聴が可能か否かを再び判定し、
前記映像生成工程では、前記判定工程における再度の判定において視聴が可能であると判定された場合に、前記映像生成手段が、前記ユーザが設定した視点に基づく視点映像を前記映像信号から生成する
ことを特徴とする放送受信装置の制御方法。
【発明の詳細な説明】
【技術分野】
【０００１】
本発明は、放送受信装置及びその制御方法に関する。
【背景技術】
【０００２】
現在、本格的なデジタル放送時代を迎え、様々な次世代放送システムの研究・開発が行われている。その中で、標準的な放送番組の映像とは別に、カメラ視点を視聴者が自由に選択できる”多視点映像”や、任意の視点を指示できる”任意視点映像”が注目されている。
【０００３】
例えば、放送用の映像と当該映像に対する視点情報とを含む放送ストリームを受信し、任意視点映像の配信要求を行う際に、任意視点映像の視点の初期値として放送ストリームから抽出した視点情報を利用する受信装置が提案されている（特許文献１参照）。このような任意視点や多視点の放送サービスの場合、放送番組の内容やシーンに応じて、番組製作者側として見せたくない視点が発生することもあり、それゆえユーザに開放する視点を制限する方法が提案されている（特許文献２参照）。
【先行技術文献】
【特許文献】
【０００４】
【特許文献１】特開２００７−１５０７４７号公報
【特許文献２】特開２００７−１９５０９１号公報
【発明の概要】
【発明が解決しようとする課題】
【０００５】
しかしながら、番組の開始時点では製作者側の都合で指定したい視点で視聴できなくても、番組が進行に応じて視聴できるようになることも考えられる。このような場合、前述の提案技術では、視点制限の解除が通知されることがないため、視聴者は視聴が可能か否かを自ら逐一確認する必要があり、負担となってしまう。
【課題を解決するための手段】
【０００６】
そこで本発明では、視聴者が視聴したい任意視点の予約を可能とし、視点制限エリアの変更によって予約視点で視聴できるようになった場合に自動で予約された視点で視聴できるようにして、ユーザの利便性を向上させる。
【０００７】
具体的に、本願発明は、デジタル放送を受信する放送受信装置であって、
放送番組のＲＦ信号を受信する受信手段と、
受信した前記ＲＦ信号から、前記放送番組の映像信号と、視聴者が前記放送番組を視聴可能な視点の範囲を規定する視点設定範囲制御情報とを分離する分離手段と、
前記放送受信装置のユーザから、前記放送番組を視聴する視点の設定を受け付けて、設定された視点を保存するユーザ視点保存手段と、
前記ユーザが設定した視点に基づく前記放送番組の視聴が可能か否かを、前記視点設定範囲制御情報に基づいて判定する判定手段と、
前記判定手段が、前記視聴が可能であると判定した場合に、前記ユーザが設定した視点に基づく視点映像を前記映像信号から生成する映像生成手段と、
生成された前記視点映像を表示する表示手段と、
前記判定手段が、前記視聴が可能でないと判定した場合に、前記ユーザが設定した視点に基づく視点映像の視聴の予約を受け付けて、当該予約の情報を保存する視点予約保存手段と、
を備え、
前記判定手段は、
前記視聴が可能でないと判定した後、前記分離手段が分離した視点設定範囲制御情報における前記視聴可能な視点の範囲に変化があったか否かをさらに判定し、
当該変化があった場合、変化後の範囲に基づき前記ユーザが設定した視点に基づく前記放送番組の視聴が可能か否かを再び判定し、
前記映像生成手段は、前記判定手段が、再度の判定において視聴が可能であると判定した場合に、前記ユーザが設定した視点に基づく視点映像を前記映像信号から生成することを特徴とする。
【発明の効果】
【０００８】
本発明によれば、放送受信装置が視聴したい視点の予約を受け付けて、予約した視点で視聴可能かを自動で検知することで、ユーザが視聴したい視点で視聴する機会を損失することなく視聴することが可能となり、ユーザの利便性を向上させることができる。
【図面の簡単な説明】
【０００９】
【図１】発明の実施形態に対応する放送受信装置の構成の一例を示すブロック図。
【図２】発明の実施形態に対応するスタジオ番組の視聴設定の説明図。
【図３】発明の実施形態に対応する視点設定範囲制御情報の一例を示すテーブル。
【図４】発明の実施形態１に対応する処理の一例を示すフローチャート。
【図５】発明の実施形態に対応する視聴禁止エリアの変化の一例を示す図。
【図６】発明の実施形態に対応する視点設定メニューの例を示す図。
【図７】発明の実施形態に対応する視点予約メニューの例を示す図。
【図８】発明の実施形態２に対応する処理の一例を示すフローチャート。
【図９】発明の実施形態２に対応する別視点設定メニューの一例を示す図。
【図１０】発明の実施形態３に対応する処理の一例を示すフローチャート。
【図１１】発明の実施形態３における、予約時間設定メニューの一例を示す図。
【発明を実施するための形態】
【００１０】
以下、本発明の実施形態を、図面を参照しながら説明する。
［実施形態１］
図１は本実施形態１に対応するデジタル放送を受信すると共に多視点・任意視点映像を表示する放送受信装置の機能ブロック図である。図１の放送受信装置１において、各ブロックは専用ロジック回路やメモリを用いてハードウェア的に構成されてもよい。或いは、メモリに記憶されている処理プログラムをＣＰＵ等のコンピュータが実行することにより、ソフトウェア的に構成されてもよい。
【００１１】
放送受信装置１は、ＲＦ-Ｉ/Ｆ部２、通信Ｉ/Ｆ部３、受信部４、ＤＥＭＵＸ部５、番組情報取得・予約部６、映像切替制御部７、デコード部８、ユーザ視点保存部９、視点制御判定部１０、任意視点映像生成部１１、視点切替制御部１２、ＧＵＩ制御部１３、ブレンド部１４、ユーザーＩ/Ｆ部１５、表示部１６、制御部１７、視点予約保存部１８を含む。以下、各部の機能について説明する。
【００１２】
ＲＦ-Ｉ/Ｆ部２は、放送波のＲＦ信号を受信するためのインターフェイスである。本実施形態では、放送受信装置と接続された外部アンテナを介してＲＦ信号を受信する。通信Ｉ/Ｆ部３は、インターネット等のネットワークと接続するためのインターフェイスであって、放送局のサーバから、ネットワーク経由で送られてくる放送番組のデータ及びその他の情報を受信する。通信Ｉ／Ｆ部３は制御部１７とも接続され、ネットワークから送信された制御データを制御部１７に転送すると共に、制御部１７からのデータをネットワークを経由して放送局のサーバへ転送する際のインターフェイスとしての役割も果たす。
【００１３】
受信部４は、ＲＦ-Ｉ/Ｆ部２及び通信Ｉ/Ｆ部３から提供された信号を、ＴＳ（トランスポートストリーム）信号へ戻す。また制御部１７とも接続されており、制御部１７からの指示に基づいて受信するチャンネルを選択する。ＤＥＭＵＸ部５は、ＴＳ信号からビデオ信号・オーディオ信号のパケット信号のブロックに分割し、映像信号及び映像信号毎の視点を示す視点情報信号、オーディオ信号、視点設定範囲制御情報、番組データ等に分離する。分離された番組データは番組情報取得・予約部６へ、視点設定範囲制御情報は視点制御判定部１０へ、映像信号及び音声信号は映像切替制御部７へそれぞれ転送される。
【００１４】
番組情報取得・予約部６は、ＤＥＭＵＸ部５から受けた番組データから、番組表や番組情報を取得し保持する。また制御部１７からの指示を受け、番組表や番組情報を制御部１７へ出力する。他に、制御部１７からの指示に基づいて番組表に基づく視聴予約を受け付け、番組開始時には、予約された番組が表示されるよう制御部１７に指示を出す。
【００１５】
映像切替制御部７では、ＤＥＭＵＸ部５からの映像信号及び映像信号毎の視点を示す視点情報信号・音声信号、番組情報取得・予約部６からの番組表や番組ガイドなどの映像信号を、制御部１７からの指示を受けて選択して後段のデコード部８へ転送する。
【００１６】
デコード部８では、ＭＰＥＧやＨ．２６４、ＡＶＣＨＤなどに代表される符号化された映像信号、及びオーディオ信号の復号化（デコード）を行い、ビデオフォーマット信号（ビデオ信号とする）やオーディオ信号に変換する。これらの信号は、後段の任意視点映像生成部１１、或いは視点切替制御部１２に転送する。また、符号化されていない映像信号の場合は、デコードせずに後段の任意視点映像生成部１１、或いは視点切替制御部１２に転送する。
【００１７】
ユーザ視点保存部９は、制御部１７から転送されたユーザが希望する視点設定情報を保存する。また必要に応じて、制御部１７から指定された視点設定情報を保存する。ユーザ視点設定情報は、例えば２次元でのみ設定可能な任意視点の場合、視点の起点となる座標情報（Ｘ，Ｙ）と、視線の方向を示す角度情報（Φ）とを保存する。
【００１８】
ここで、図２を参照して２次元の場合での視点設定の説明方法を説明する。図２は、発明の実施形態に対応するスタジオ番組の視聴設定の説明図である。スタジオはＸＹの平面座標で表現され、視聴者が視点の起点として設定可能なエリア１３０は、頂点が（０，０）、（ｘ２、０）、（ｘ２、ｙ６）、（０、ｙ６）で囲まれる矩形エリアとなる。また、図２の参照番号１０１から１２５までは撮影時のカメラの番号を示しており、それぞれ座標位置とカメラの視点の角度（Φ）がカメラごとに放送受信装置１に提供される。
【００１９】
図２における○（白丸）及び●（黒丸）は、番組の司会者・出演者や、番組関係者などの人物を示す。またエリア１４０から１４３で示される網掛け領域は、視聴設定が禁止されている禁止エリアを示す。図２では、エリア１４０を視聴禁止エリア１、エリア１４１を視聴禁止エリア２、エリア１４２を視聴禁止エリア３、エリア１４３を視聴禁止エリア４とする。このように放送局からは、視聴設定可能エリア、視聴禁止エリアの視点設定範囲制御情報がシーンごとに送られてくる。視点設定範囲制御情報は、視聴者が放送番組を視聴可能な視点の範囲を規定するための情報である。図３に、図２における設定情報を示す。当該設定情報では、放送局から送信される項目３０１と座標情報３０２とが関連付けられ、視聴設定可能なエリアを特定するための座標情報と、視聴禁止エリアを特定する座標情報とが含まれる。
【００２０】
また、図２におけるＡ（ｘ１、ｙ１）は、ユーザが視聴したい視点の位置（起点）を示す。従って、ユーザ視点保存部９に保存される座標情報は（ｘ１、ｙ１）となる。またＡ地点を起点とした矢印は、ユーザが視聴したい視線方向を示している。視線方向は、ｘ軸方向を０度とした角度として表現され、図２の場合、ユーザ視点保存部９に保存される視線の方向を示す角度はφ１となる。このように本実施形態における「視点」とは、「エリア内でどこを見ているかという、注視点」を意味する用語として用いられる。図２では、説明の簡略化のため２次元で設定できる場合を示したが、３次元で設定してもよい。３次元で設定を行なう場合は座標情報（Ｘ，Ｙ，Ｚ）、及びＸＹ平面上での方向を示す角度（Φ）とチルトの角度（θ）とを保存する。
【００２１】
視点制御判定部１０は、ユーザ視点保存部９から転送されたユーザ視点情報と、ＤＥＭＵＸ部５から転送された図３に示す視点設定範囲制御情報とから判定を行なう。具体的に、視聴禁止エリア情報に変化があるかどうかを判定すると共に、ユーザが視聴したい視点での映像が視聴禁止エリアの映像と重なっていないかを判定する。前者の判定では、ＤＥＭＵＸ部５から提供された情報と、視点制御判定部１０が既に持っている情報とを比較して、各座標値に変更があるか否かを判定する。後者の判定ではまず、ユーザが視聴したい視点についてカメラの画角を考慮した所定の範囲を設定し、その上で当該範囲と視聴禁止エリアが重なり合うか否かを判定する。もし、重なり合いが生ずる場合、ユーザが視聴したい視点での映像が視聴禁止エリアの映像と重なり合っていると判定される。以下、具体的な判定手順を説明する。
【００２２】
まず、起点Ａから描かれている矢印に対し垂直な方向に長さ±ｄだけずらした座標Ａｄ１（ｘｄ１，ｙｄ１）、Ａｄ２（ｘｄ２，ｙｄ２）を求める。ついで、Ａｄ１、Ａｄ２からそれぞれユーザの希望する視線方向の直線の式ｆＡＤ１、ｆＡＤ２を以下のように算出する。ここで“ｄ”の大きさは、例えばカメラの画角に応じて変更することができる。
ｆＡｄ１＝ｔａｎΦ１・（Ｘ−ｘｄ１）＋ｙｄ１
ｆＡｄ２＝ｔａｎΦ１・（Ｘ−ｘｄ２）＋ｙｄ２
次に、直線式ｆＡｄ１及びｆＡｄ２が、図３の視点範囲制御情報に基づく禁止エリアに接触していないかどうかを、禁止エリアを構成する座標と各直線式とに基づいて判定する。このようにして得られた視聴禁止エリアの変化とエリアの重複についての判定結果は制御部１７へ送信される。
【００２３】
任意視点映像生成部１１では、ユーザ視点保存部９から送られてくるユーザ視点設定情報、及びデコード部８から送られてくる映像信号及び映像信号毎の視点を示す視点情報信号から、任意視点映像を生成する。なお、複数の視点で得られた映像から任意視点映像を生成する技術は公知であり、また、当該技術が本願の技術的特徴そのものではないので、本明細書での詳細な説明は省略する。生成した映像信号は視点切替制御部１２へ転送する。
【００２４】
視点切替制御部１２では、制御部１７からの指示に従って、デコード部８からの標準映像信号や多視点映像、及び、任意視点映像生成部１１からの任意視点映像のうち、いずれかを選択して出力する。また、多視点映像の場合、制御部１７からの指示に基づき、複数の視点の中から１つ以上の視点の映像を後段に送る。また制御部１７からの指示に基づき、映像選択後、選択された視点の映像を縮小、或いは拡大して後段に送る。
【００２５】
ＧＵＩ制御部１３では、制御部１７からの指示を受け、チャンネル表示や、図２に示されるカメラアングルやカメラの位置などのグラフィックス表示、番組表、記録されたコンテンツの一覧など、グラフィックスの作成を行なう。また、発明の実施形態に対応するメニュー画面や案内画面のグラフィックスの作成も行なう。作成したグラフィックス映像は、ブレンド部１４へ転送される。ブレンド部１４では、視点切替制御部１２からの映像と、ＧＵＩ制御部１３から送られてくるグラフィック映像を、制御部１７からの指示に基づいて合成し、表示部１６へ転送する。
【００２６】
ユーザＩ/Ｆ部１５は、ユーザからの指示を受け付けるインターフェイスである。ユーザがリモコンを使用する場合には、赤外線受信部として機能する。チャンネル切替え、番組視聴予約の指示の他、発明の実施形態に対応する任意視点映像生成のための指示をユーザから受け付け、制御部１７へ伝送する。表示部１６は、ブレンド部１４から出力された映像信号を表示する。表示デバイスとしては液晶ディスプレイ、有機エレクトロルミネッセンスディスプレイなど、方式は不問であって、映像信号を表示する表示装置であればよい。また制御部１７からの指示より表示のＯＮ/ＯＦＦを実行する。
【００２７】
制御部１７は、ユーザＩ/Ｆ部１５からの指示を受け付ける。また、通信Ｉ/Ｆ部３、受信部４、番組情報取得・予約部６、映像切替制御部７、ユーザ視点保存部９、視点制御判定部１０、視点切替制御部１２、ＧＵＩ制御部１３、ブレンド部１４、ユーザＩ/Ｆ部１５、表示部１６、視点予約保存部１８と接続されており、ユーザからの要求や、必要な制御の指示を各部に送る。また、発明の実施形態に対応する処理を実行するために、各機能ブロックの動作を制御する。
本発明の特徴的なブロックである、視点予約保存部１８では、ユーザI/F部１５が受け付けた視聴者が視聴したい視点の設定情報を制御部１７が受け取り、制御部１７の判断の結果、視点予約保存部１８へ保存するよう指示を受け実行する。また制御部１７から指示により、保存した視点設定情報を制御部１７へ転送する。保存する設定情報として、座標、角度、番組情報、視聴したい時間である。
【００２８】
次に本発明の特徴である、任意視点の視聴視点予約及び、予約した視点で視聴できるようになった時に、自動で予約した視点の映像に切替える際の動作フローについて、図４のフローチャートを用いて説明する。また図５に本実施形態における、視聴禁止エリアの変化を示す。
【００２９】
任意視点の映像生成は、ユーザが電源を入れた場合、或いは任意視点の映像設定メニューなどをユーザが操作した場合に開始される。ユーザＩ/Ｆ部１５は、ユーザから指示を受け付けると、受信した指示内容を制御部１７へ転送する。制御部１７は、受信した指示内容が、電源投入、或いは、任意視点の映像設定メニューなどである場合に図４のフローチャートに従った処理を開始する。
【００３０】
まず、ステップＳ１０１では、ユーザＩ/Ｆ部１５がユーザの視聴したい視点の設定を受け付け、その設定内容を制御部１７へ転送する。制御部１７では設定内容をユーザ視点保存部９へ転送し、ユーザ視点保存部９は設定内容を保存する。ステップＳ１０１の処理では、ユーザの視点設定を補助するために表示部１６に図６に示すような視点設定用のメニューを表示させるよう、制御部１７がＧＵＩ制御部１３に指示を出す。図６は、ある番組の視点設定メニューの例を示したものである。
【００３１】
図６において、画面６００には、スタジオマップ表示領域６０１、カーソル６０２がそれぞれ表示されている。領域６０１に示すようなスタジオの形や、司会席、回答者１から５の位置情報などのマップ情報は、番組情報と共に送信されてくる。ユーザはリモコン１５０の十字操作キー１５１を操作して、矢印アイコン６０２により、視聴したい視点の開始位置と方向を示す。位置及び方向の確定は、セットボタン１５２の操作により行なうことができる。視点の開始位置は、例えば、矢印の根元の中心点であってもよいし、矢印の先端部であっても良い。また、方向は、矢印が向く方向であって、スタジオマップに対して図２のようなＸＹ座標系を設定して矢印のＸ軸に対する角度を測定することにより行うことができる。この際、制御部１７はマップ情報を番組情報取得・予約部６から読み出して、ＧＵＩ制御部１３へ転送し、マップを表示部１６に表示させる。同時にユーザＩ/Ｆ部１５で受け付けた指示通り矢印アイコン６０２が動作するよう、ＧＵＩ制御部１３に指示を出す。リモコン１５０のセットボタン１５２が操作されると、当該操作情報が、ユーザＩ/Ｆ部１５から制御部１７へ伝達される。制御部１７は操作情報をＧＵＩ制御部１３に通知して、画面上で表示された矢印アイコン６０２の位置及び方向に基づき、視聴したい視点の開始位置の座標及び方向を表す角度を判定する。判定結果は、ＧＵＩ制御部１３から制御部１７へ通知される。
【００３２】
続くステップＳ１０２では、ステップＳ１０１で設定された視点の映像が、視聴禁止エリアに接触していないかを、視点制御判定部１０が判定する。接触しない場合（Ｓ１０２で「ＮＯ」）、ステップＳ１１０へ移行する。接触する場合（Ｓ１０２で「ＹＥＳ」）ステップＳ１０３へ移行する。各判定結果は制御部１７へ転送される。
【００３３】
ステップＳ１０３では、視聴者がステップＳ１０１で設定した視点で視聴できないこと、及び視聴予約したいかどうかの案内のメニュー画面を制御部１７の指示に応じてＧＵＩ制御部１３が生成する。ＧＵＩ制御部１３は、作成したメニュー画面を出力するようにブレンド部１４に指示を出し表示部６が表示する。図７に当該メニューの一例を示す。図７において、画面７００には、ユーザ宛のメッセージ表示領域７０１、予約ボタン７０２、キャンセルボタン７０３、カーソル７０４がそれぞれ表示されている。
【００３４】
ステップＳ１０４では、ユーザが視聴予約を希望するか否かを判定する。視聴予約を希望する場合（Ｓ１０４で「ＹＥＳ」）、ステップＳ１０５へ移行する。視聴予約しない場合（Ｓ１０４で「ＮＯ」）ステップＳ１１１へ移行する。ステップＳ１０４では、ステップＳ１０３で表示した図７の予約メニューを介してユーザから受け付けた回答に基づいて判定を行なう。具体的に、ユーザは、表示部１６が表示する画面７００を参照して、リモコン１５０のボタンを操作してカーソル７０４を画面上で所望のボタン上に移動させる。そして、セットボタン１５２を選択操作をユーザが行なうと、当該操作情報が、ユーザＩ/Ｆ部１５から制御部１７へ伝達される。制御部１７はカーソル７０４の操作情報をＧＵＩ制御部１３に通知して、画面上でのカーソル７０４の位置に基づき操作されたボタンの種類を判定させる。判定結果は、ＧＵＩ制御部１３から制御部１７へ通知される。
【００３５】
続くステップＳ１０５では、ステップＳ１０１で設定された視点の設定情報を視点予約情報として保存する。制御部１７は、視聴者が予約を希望することをステップＳ１０４で確認した場合に、その設定情報をユーザ視点保存部９から取得して、視点予約保存部１８に保存する。
【００３６】
続くステップＳ１０６では、事前に設定された視点の映像を生成する。或いは、事前に設定されたのが通常の放送番組の映像の場合は、デコード部８でデコードした映像をそのまま出力する。ここで通常の放送番組の映像とは、任意視点の映像を設定しない場合に表示される映像である。ここでは、制御部１７が予め決められた視点の設定情報をユーザ視点保存部９へ転送し、当該視点に基づく任意視点映像を生成するように指示する。ユーザ視点保存部９では、受信した視点の設定情報を任意視点映像生成部１１に設定する。また制御部１７は、視点切替制御部１２に対し、任意視点映像生成部１１で生成した画像が後段に出力されるように指示を出す。一方、事前に設定されたのが、通常の放送番組の映像の場合は、制御部１７が視点切替制御部１２に対し、デコード部８から出力された映像の中から通常の放送番組の映像を選択して出力するように指示する。
【００３７】
続くステップＳ１０７では、視点制御判定部１０が視聴禁止エリアに変化がないか否かをフレーム毎に判定し、判定結果を制御部１７へ通知する。もし変化があった場合（Ｓ１０７で「ＹＥＳ」）、ステップＳ１０７へ移行する。変化がない場合（Ｓ１０７で「ＮＯ」）、現在の視点での表示を継続し、ステップＳ１０７でループ処理を行なう。例えば図５に示すような視聴禁止エリアの変化の場合、番組開始時点では、視聴禁止エリアが１から４だけだったのが、番組途中（時刻ｔ１）で、視聴禁止エリア４が開放されて視聴できるようになる。そこで、時刻ｔ１のタイミングでステップＳ１０８へ移行することができる。
【００３８】
ステップＳ１０８では、ステップＳ１０５で保存された視点が、変化後の視聴禁止エリアと接触していないかを判定し、予約された視点で視聴が可能となったか否かを判定する。もし、視聴が可能となった場合（Ｓ１０８で「ＹＥＳ」）、ステップＳ１０９へ移行する。視聴が可能となっていない場合（Ｓ１０８で「ＮＯ」）、ステップＳ１０６に戻って処理を継続する。Ｓ１０８における処理では、まず制御部１７が視点予約保存部１８から予約された視点情報を読み出し、読み出した視点予約情報を視点制御判定部１０へ転送する。視点制御判定部１０は、予約された視点の設定で視聴が可能となったか否かを、ステップＳ１０２における処理と同様、視聴禁止エリアとの接触の有無に基づいて判定し、判定結果を制御部１７へ転送する。
【００３９】
続くステップＳ１０９では、予約された視点で任意視点の映像を生成する。制御部１７は、ユーザ視点保存部９へ指示して、任意視点映像生成部１１に予約された視点の設定情報を提供し任意視点映像を生成させる。ユーザ視点保存部９は、制御部１７からの指示に応じて、ステップＳ１０５で保存した視点予約情報から、視点の設定情報を抽出して任意視点映像生成部１１に任意視点映像の生成を指示する。生成された任意視点映像は、視点切替制御部１２へ出力され、制御部１７からの制御に従い視点切替制御部１２は、任意視点映像生成部１１から取得した映像をブレンド部１４に出力する。ブレンド部１４は、取得した映像を表示部６に出力して表示させる。
【００４０】
次に、ステップＳ１１０では、ユーザが設定した視点の映像を生成する。具体的に制御部１７は、ユーザにより設定された視点の設定情報をユーザ視点保存部９へ転送し、さらに任意視点映像を生成するように指示する。ユーザ視点保存部９では、受信した視点の設定情報を任意視点映像生成部１１に設定する。また制御部１７は、視点切替制御部１２に対し、任意視点映像生成部１１で生成した任意視点の映像が後段に出力されるように指示を出す。また、ステップＳ１１１では、事前に設定された視点の映像を生成する。ここでの処理は、ステップＳ１０６における処理と同様である。
【００４１】
以上の構成、及びフローに従って放送受信装置を制御することにより、視聴者が最初に視聴したくても視聴できなかった視点の映像を自動で視聴できるようになる。よって、視聴者を煩わせることなく、視聴者の希望する視点での視聴のロスを低減させ、利便性を向上させることができる。
【００４２】
また本実施形態での図６や図７に示した設定メニュー画面や、設定の手法はあくまで一例であり、これに限定するものではない。また本実施形態では禁止エリアを２次元で設定する場合を説明したが、次元数はこれに限定されるものでなく、３次元での設定も可能である。また視聴禁止エリアや、視聴設定エリアの設定手法として座標で行なったが、これに限定するものではない。
【００４３】
また本実施形態では、ステップＳ１０６やＳ１１１では、事前に設定された視点の映像、或いは通常放送の映像を自動で選択したが、放送局側から進められた視点の映像がある場合は、その視点の映像を選択して、表示させてもよい。また、ステップＳ１０８で予約視点での視聴が可能となった場合に、その旨の案内画面を表示部１６に表示した後に、ステップＳ１０９に移行しても良い。
【００４４】
［実施形態２］
実施形態１では、ユーザが視聴予約を行った場合、予約した視点での視聴が開始されるまでは、ユーザの希望とは関係なく事前に設定された視点での映像が再生された。これに対して実施形態２では、視聴予約を行った後に予約した視点での視聴が開始されるまで、ユーザが自分で選択した別の視点での視聴を可能とする。本実施形態における放送受信装置１の構成は図１と同様であり、その他、図２、図３に関係する技術的事項も実施形態１と同様であるので、本実施形態での説明は省略する。
【００４５】
以下、本実施形態における処理を図８のフローチャートを参照して説明する。まず、ステップＳ２０１からＳ２０５までのは、実施形態１におけるステップＳ１０１から１０５までの処理と同様なので説明は省略する。
【００４６】
続くステップＳ２０６において、ユーザが予約した視点での視聴ができない期間、別の視点で視聴したいかどうかの案内画面を表示部６が表示する。具体的には、制御部１７がＧＵＩ制御部１３に対し当該案内画面を表示するように指示を出す。ＧＵＩ制御部１３は案内画面の映像を生成し、ブレンド部１４に対し案内画面を選択して後段に出力するよう指示する。ここでの案内画面の一例は図９に示す通りである。図９において、画面９００には、ユーザ宛のメッセージ表示領域９０１、設定ボタン９０２、キャンセルボタン９０３、カーソル９０４がそれぞれ表示されている。
【００４７】
ステップＳ２０７では、ユーザが別の視点での視聴を希望するか否かを判定する。別の視点での視聴を希望する場合（Ｓ２０７で「ＹＥＳ」）、ステップＳ２０８へ移行する。別の視点での視聴を希望しない場合（Ｓ２０７で「ＮＯ」）、ステップＳ２１６へ移行する。具体的に、ユーザは、表示部１６が表示する画面９００を参照して、リモコン１５０のボタンを操作してカーソル９０４を画面上で所望のボタン上に移動させる。そして、セットボタン１５２の選択操作がなされると、当該操作情報が、ユーザＩ/Ｆ部１５から制御部１７へ伝達される。制御部１７はカーソル９０４の操作情報をＧＵＩ制御部１３に通知して、画面上でのカーソル９０４の位置に基づき操作されたボタンの種類を判定させる。判定結果は、ＧＵＩ制御部１３から制御部１７へ通知される。制御部１７は、設定ボタン９０２が選択されたと判定された場合、ユーザが別の視点での視聴の意思があると判定する。一方、キャンセルボタン９０３が選択されたと判定された場合、ユーザが別の視点での視聴の意思がないと判定する。
【００４８】
続くステップＳ２０８では、図６の画面６００を再度表示部１６に表示させ、別視点での設定を受け付ける。ここでの処理は、ステップＳ２０１の処理と同様である。ステップＳ２０９では、新しく設定された視点が、視聴禁止エリアと接触するか否かを判定する。ここでの処理は、ステップＳ２０２の処理と同様である。判定の結果、視聴可能な場合（ステップＳ２０９で「ＮＯ」）、ステップＳ２１０へ移行する。視聴できない場合（ステップＳ２０９で「ＹＥＳ」）、ステップＳ２０７へ戻る。続くステップＳ２１０からＳ２１２における処理は、実施形態１におけるステップＳ１１０、Ｓ１０７及びＳ１０８とそれぞれ同様なので、説明は省略する。
【００４９】
次にステップＳ２１３では、視聴予約した視点での視聴が可能になったことを視聴者に対し知らせる。具体的には、制御部１７がＧＵＩ制御部１３に対し案内画面を表示するよう指示を出す。ＧＵＩ制御部１３では、作成した案内画面の映像をブレンド部１４へ転送し、表示部１６へ出力されるよう、ブレンド部１４に対し指示する。なお、当該案内画面は、ユーザに予約した視点での視聴が可能となったことを通知可能であれば、どのような形態であってもよく、例えばテロップ的な文字情報であってもよい。また、案内画面の表示は、続くステップＳ２１４における予約視点で生成された映像の表示と同時に行われても良い。
【００５０】
続くステップＳ２１４の処理は、実施形態１のステップ１０８の処理と同様であり、ステップＳ２１５、Ｓ２１６の処理も、実施形態１におけるステップＳ１１０、Ｓ１１１の処理とそれぞれ同様なので、説明は省略する。
【００５１】
以上の構成、及びフローに従って放送受信装置を制御することにより、視聴者が最初に視聴したくても視聴できなかった視点の映像を自動で視聴できるようになる。また、予約した任意視点以外の任意の視点の映像も視聴できるようになる。よって、視聴者の希望する視点での視聴の視聴機会損失を低減させ、なおかつ他の視点での視聴機会を増やすことができ、利便性を向上させることができる。
【００５２】
［実施形態３］
上述の実施形態１及び実施形態２では、所望の番組の視聴中や視聴開始時にユーザが希望する視点を予約して、任意視点映像の視聴を可能とする発明について説明した。これに対して実施形態３では、予約時刻の指定を受け付けることで、視聴開示時間が先の番組であっても、視点予約をして任意視点映像の視聴が可能となる。具体的には、指定時刻に視聴予約した視点の映像を生成できるか判定する。そして、もし生成できないと判定された場合はそのままの視点の映像を表示させる一方、生成できると判定された場合、当該視点に対応する任意視点映像に切替える。本実施形態における放送受信装置１の構成は図１と同様であり、その他、図２、図３に関係する技術的事項も実施形態１と同様であるので、本実施形態での説明は省略する。
【００５３】
以下、本実施形態における処理を図１０のフローチャートを参照して説明する。図１０のフローチャートは、図４や図８のフローチャートの一部として実行可能である。図１０では、一例として図４のフロチャートで代用可能な部分については、図面中の記載も省略している。
【００５４】
図１０のステップＳ３０１は、図４のステップＳ１０４において「ＹＥＳ」と判定された場合に実行されるステップである。すなわち、ユーザが視聴予約を行なう場合にステップＳ３０１において予約時刻メニューの画面を表示部１６に表示して、ユーザからの予約時刻の設定を受け付ける。図１１は予約時刻メニュー画面の一例を示す。図１１に示されるように、時刻指定するかどうか、そして時刻指定する場合は予約開始時刻と予約終了時刻とを設定できる。ユーザは図１１におけるリモコン１１５０の十字操作キー１１５１を用いて画面のカーソルのアイコン１１０５を操作して、時間の「指定する」あるいは「指定しない」どちらかのボタン１１０１、１１０２上にアイコンを合わせる。その状態でセットボタン１１５２を操作することでボタンを選択できる。時刻指定を行なう場合、入力領域１１０３及び１１０４に予約開始時刻と予約終了時刻とを入力することができる。時刻入力は、リモコン１１５０の１から１２までの数字キー１１５３を使用して設定できる。
【００５５】
ユーザが表示部１６が時刻設定を行って、「設定する」のボタン１１０１上にカーソル１１０５を位置させて、セットボタン１１５２を操作すると、当該操作情報が、ユーザＩ/Ｆ部１５から制御部１７へ伝達される。制御部１７はカーソル１１０５の操作情報をＧＵＩ制御部１３に通知して、画面上でのカーソル１１０５の位置に基づき操作されたボタンの種類を判定させる。「設定する」ボタン１１０１が選択されたと判定された場合、入力領域１１０３及び１１０４にそれぞれ入力された時刻情報を取得する。判定結果と、時刻情報とは、ＧＵＩ制御部１３から制御部１７へ通知される。
【００５６】
続くステップＳ３０２では、ステップＳ１０１で設定された視点の設定情報を視点予約情報として視点予約保存部１８に保存する。その際、ステップＳ３０１で予約時刻の指定を受け付けた場合には、当該時刻情報を併せて保存する。続くステップＳ３０３では、予約時刻の指定があるか否かを制御部が、視点予約保存部１８へ問いあわせて判定する。もし、時刻指定がない場合（ステップＳ３０３で「ＮＯ」）、実施形態１と同様の処理となるので、図４のステップＳ１０６に移行する。一方、時刻指定がある場合（ステップＳ３０３で「ＹＥＳ」）、ステップＳ３０４に移行して、事前に設定された視点の映像を生成する。ここでの処理は、図４のステップＳ１０６と同様であるため、詳細は省略する。
【００５７】
続くステップＳ３０５では、制御部１７が現在時刻が予約時刻となったか否かを判定する。もし、予約時刻になった場合（Ｓ３０５で「ＹＥＳ」）、ステップＳ３０６に移行する。予約時刻になっているかは、現在時刻が予約開始時刻と予約終了時刻との間に含まれるか否かで判定する。一方、予約時刻になっていない場合（Ｓ３０５で「ＮＯ」）、ステップＳ３０４に戻って処理を継続する。ステップＳ３０６では、予約された視点で視聴が可能となったか否かを制御部１７が判定する。当該判定は、図４のステップＳ１０８における処理と同様であるので、詳細は省略する。
【００５８】
もし、視聴が可能となった場合（ステップＳ３０６で「ＹＥＳ」）、Ｓ３０９に移行し、可能となっていない場合（ステップＳ３０６で「ＮＯ」）、ステップＳ３０７に移行する。ステップＳ３０７では、任意視点の視聴予約の時刻ではあるが、現在予約された視点での視聴はできないことを、案内画面として画面に表示する。具体的に、制御部１７がＧＵＩ制御部１３に対し、案内画面を出すように指示を出す。指示を受けたＧＵＩ制御部１３は、案内用の映像を生成し、ブレンド部１４に対し、生成した案内映像を選択して出力するよう指示を出す。当該案内画面は、テロップなどでも良い。続くステップＳ３０８では、現在視聴中の視点の映像をそのまま出力する。その後、ステップ３０５に戻って処理を継続する。また、ステップＳ３０９における処理は、図４のステップＳ１０９における処理と同様であるので、詳細は省略する。
【００５９】
以上の構成、及びフローによって放送受信装置を制御することにより、視聴者は視聴したい視点での映像の視聴を行なう時間帯の予約が可能となる。よって、実際の時間に番組を見忘れたり、番組の視聴中に希望する視点での映像を見忘れる、といったことを防ぐことができ、視聴者の希望する視点での視聴の視聴機会損失を低減させることができる。
【００６０】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012119916.tif 000003
【図２】
2012119916.tif 000004
【図３】
2012119916.tif 000005
【図４】
2012119916.tif 000006
【図５】
2012119916.tif 000007
【図６】
2012119916.tif 000008
【図７】
2012119916.tif 000009
【図８】
2012119916.tif 000010
【図９】
2012119916.tif 000011
【図１０】
2012119916.tif 000012
【図１１】
2012119916.tif 000013